(57)【要約】【課題】複数の温灸器を並列支持する枠体や台紙を折り曲げ得る構造にすることで、複数の温灸器を破損することなく、コンパクトにパッケージすることができると共に、灸治療に際して複数の温灸器を迅速かつ容易に取り外す。【解決手段】温灸器２の台座３の粘着面４を、着脱自在に貼り付ける剥離シート５と、剥離シート５の周囲に取り付けた、折曲げ切込み線１０を有する枠体６とから成り、剥離シート５に、複数の温灸器２を枠体６内に隙間無く並列するように、温灸器２の台座３の粘着面４で貼り付け、温灸器２を剥離シート５から取り出す際に、枠体６を折曲げ切込み線１０で山折りすることにより、この山折りになった剥離シート５の一部が温灸器２の台座３から剥がれるように構成した。【選択図】図１
2009195347.tif 000002
【特許請求の範囲】
【請求項１】
中央に上下に貫通するように通孔（７）を開けた台座（３）と、該通孔（７）の上面に取り付けた、もぐさ（８）を入れた筒体（９）と、該台座（３）の下面に粘着剤を塗布した粘着面（４）とを備えた温灸器（２）を、複数個並列配置した温灸器セット（１）であって、
前記温灸器（２）の台座（３）の粘着面（４）を、着脱自在に貼り付ける剥離シート（５）と、
前記剥離シート（５）の周囲に取り付けた、折曲げ切込み線（１０）を有する枠体（６）と、から成り、
前記剥離シート（５）に、複数の温灸器（２）を前記枠体（６）内に隙間無く並列するように、該温灸器（２）の台座（３）の粘着面（４）で貼り付け、
前記温灸器（２）を前記剥離シート（５）から外す際に、該枠体（６）を折曲げ切込み線（１０）で山折りすることにより、この山折りになった該剥離シート（５）の一部が温灸器（２）の台座（３）から剥がれるように構成した、ことを特徴とする温灸器セット。
【請求項２】
前記枠体（６）に形成する折曲げ切込み線（１０）を、最外列で並列する複数の温灸器（２）の筒体（９）を結ぶ仮想線（ＨＬ）の延長線上にそれぞれ形成した、ことを特徴とする請求項１の温灸器セット。
【請求項３】
前記枠体（６）に形成する折曲げ切込み線（１０）を、最外列から２列目で並列する複数の温灸器（２）の筒体（９）を結ぶ仮想線（ＨＬ）の延長線上にそれぞれ形成した、ことを特徴とする請求項１の温灸器セット。
【請求項４】
中央に上下に貫通するように通孔（７）を開けた台座（３）と、該通孔（７）の上面に取り付けた、もぐさ（８）を入れた筒体（９）と、該台座（３）の下面に粘着剤を塗布した粘着面（４）とを備えた温灸器（２）を、複数個並列配置した温灸器セット（２１）であって、
前記温灸器（２）の台座（３）の粘着面（４）を着脱自在に貼り付ける、裏面に台紙（２２）を貼り合わせた剥離シート板（２３）と、
前記剥離シート板（２３）の台紙（２２）に形成した折曲げ切込み線（２４）と、から成り、
前記剥離シート板（２３）に、前記温灸器（２）を台座（３）の粘着面（４）で貼り付け、複数の温灸器（２）を隙間無く並列配置し、
前記温灸器（２）を前記剥離シート板（２３）から外す際に、該剥離シート板（２３）の折曲げ切込み線（２４）で山折りすることにより、この山折りになった剥離シート板（２３）の一部が温灸器（２）の台座（３）から剥がれるように構成した、ことを特徴とする温灸器セット。
【請求項５】
前記温灸器（２）の台座（３）は、平面視で六角形状に形成したものである、ことを特徴とする請求項１又は４の温灸器セット。
【請求項６】
前記温灸器（２）の台座（３）は、平面視で三角形状に形成したものである、ことを特徴とする請求項１又は４の温灸器セット。
【請求項７】
前記温灸器（２）の台座（３）は、平面視で円形状に形成したものである、ことを特徴とする請求項１又は４の温灸器セット。
【請求項８】
前記温灸器（２）の台座（３）の粘着面（４）側に、該台座（３）の周縁から前記通孔（７）に通じる溝を形成した、ことを特徴とする請求項１，４，５，６又は７の温灸器セット。
【発明の詳細な説明】
【技術分野】
【０００１】
本発明は、患部の灸治療に用いる温灸器に係り、特に多数の温灸器を並列した温灸器セットに関する。
【背景技術】
【０００２】
従来より、灸治療として、もぐさを肌の患部にのせ、このもぐさに火を付け、その熱気によって治療をおこなう療法が知られている。この灸治療法は、もぐさが肌に接しているために、もぐさに付けた火が肌に直接作用することがあり、肌に火傷痕が残りやすかった。そこで、火傷痕が残らず、極端な熱さを感じることなく灸治療を行うものとして、紙製の台座を設けた温灸器が提案されている。例えば図９（ａ），（ｂ），（ｃ）に示すように、厚紙の台座５１上に、筒５２に入れたもぐさ５３を取り付けた温灸器５４が提案されている。この台座５１の下面に粘着剤５５を塗布し、この粘着剤５５に剥離紙５６を貼り付けていた。使用に際して、この保護紙５６を剥がし、粘着剤５５の面を露出させ、その粘着面を患部に貼り付け、もぐさ５３に火を点けていた。
【０００３】
このような温灸器に関する先行技術としては、特許文献１の特開平５−２８５１９１号公報「温灸器」に示すように、下面に粘着剤を塗布した台座に上下に貫通する通孔を設け、もぐさを糊で固めたもぐさ整形体を、通孔を設けた箇所において台座の上に取着して成る温灸器も提案されている。
【特許文献１】特開平５−２８５１９１号公報
【０００４】
このような厚紙の台座５１から成る温灸器５４は、複数個を包装箱に詰めて搬送され、各温灸器５４は包装箱内でバラバラになっているために運搬等をおこなう際に互いに衝突し合った。筒５２（もぐさ５３）が折れたり筒５２（もぐさ５３）が台座５１から剥がれたりするなど、破損するおそれがあった。このために各温灸器５４がバラバラにならないように包装箱内にパッケージする工夫が必要である。
【０００５】
包装箱に入れた温灸器が破損しないように温灸器の包装に関する先行技術としては、特許文献２の特開平５−２８５１９２号公報「温灸器セット」に示すように、基板に複数の打抜き孔を設けると共にこの打抜き孔の打抜きで形成される台座を各打抜き孔内に抜き出し自在に保持し、各台座に表裏に貫通する通孔を設けると共に各台座の上面にもぐさを取着して成る温灸器セットが提案されている。
【特許文献２】特開平５−２８５１９２号公報
【発明の開示】
【発明が解決しようとする課題】
【０００６】
特許文献２の「温灸器セット」は、図１０（ａ），（ｂ）に示すように、厚紙からなる打抜き孔６１の打抜きで形成される台座６２を各打抜き孔６１内に抜き出し自在に保持され、台座６２が強固に保持されているので搬送には適している。しかし、この温灸器セット６３は、個々の温灸器６４を使用するために、打抜き孔６１から温灸器６４（台座６２）を取り出す際に、この台座６２が打抜き孔６１と強固に密着しているために取り出しづらかった。
【０００７】
例えば、図１０（ｂ）の矢視線に示すように、温灸器セット６３の裏面から温灸器６４（台座６２部分）を押し出すようにして、打抜き孔６１から浮いた台座６２を摘んで引き抜くようにして取り外していた。この取り出し方では、温灸器６４を取り出すまでに多くの手間がかかり、その手間が煩雑であるばかりでなく、温灸器６４を取り出すまでに長時間かかるという問題を有していた。なお、一回の灸治療に用いる温灸器は１０個から２０個と多く用いるためにすばやく取り出す必要があった。
【０００８】
また、温灸器のもぐさ６５（筒６６）部分を摘んで引き抜く取り出し方では、もぐさ６５（筒６６）部分が台座６２から分離して破損しやすく、温灸器６４として使用できなくなるという問題を有していた。
【０００９】
本発明は、かかる問題点を解決するために創案されたものである。すなわち、本発明の目的は、複数の温灸器を並列支持する枠体や台紙を折り曲げ得る構造にすることで、複数の温灸器を破損することなく、コンパクトにパッケージすることができると共に、灸治療に際して複数の温灸器を迅速かつ容易に取り外すことができる温灸器セットを提供することにある。
【課題を解決するための手段】
【００１０】
本発明によれば、中央に上下に貫通するように通孔（７）を開けた台座（３）と、該通孔（７）の上面に取り付けた、もぐさ（８）を入れた筒体（９）と、該台座（３）の下面に粘着剤を塗布した粘着面（４）とを備えた温灸器（２）を、複数個並列配置した温灸器セット（１）であって、前記温灸器（２）の台座（３）の粘着面（４）を、着脱自在に貼り付ける剥離シート（５）と、前記剥離シート（５）の周囲に取り付けた、折曲げ切込み線（１０）を有する枠体（６）と、から成り、前記剥離シート（５）に、複数の温灸器（２）を前記枠体（６）内に隙間無く並列するように、該温灸器（２）の台座（３）の粘着面（４）で貼り付け、前記温灸器（２）を前記剥離シート（５）から外す際に、該枠体（６）を折曲げ切込み線（１０）で山折りすることにより、この山折りになった該剥離シート（５）の一部が温灸器（２）の台座（３）から剥がれるように構成した、ことを特徴とする温灸器セットが提供される。
【００１１】
例えば、前記枠体（６）に形成する折曲げ切込み線（１０）を、最外列で並列する複数の温灸器（２）の筒体（９）を結ぶ仮想線（ＨＬ）の延長線上にそれぞれ形成する。
あるいは、前記枠体（６）に形成する折曲げ切込み線（１０）を、最外列から２列目で並列する複数の温灸器（２）の筒体（９）を結ぶ仮想線（ＨＬ）の延長線上にそれぞれ形成する。
【００１２】
または、中央に上下に貫通するように通孔（７）を開けた台座（３）と、該通孔（７）の上面に取り付けた、もぐさ（８）を入れた筒体（９）と、該台座（３）の下面に粘着剤を塗布した粘着面（４）とを備えた温灸器（２）を、複数個並列配置した温灸器セット（１）であって、前記温灸器（２）の台座（３）の粘着面（４）を着脱自在に貼り付ける、裏面に台紙（２２）を貼り合わせた剥離シート板（２３）と、前記剥離シート板（２３）の台紙（２２）に形成した折曲げ切込み線（２４）と、から成り、前記剥離シート板（２３）に、前記温灸器（２）を台座（３）の粘着面（４）で貼り付け、複数の温灸器（２）を隙間無く並列配置し、前記温灸器（２）を前記剥離シート板（２３）から剥がす際に、該剥離シート板（２３）の折曲げ切込み線（２４）で山折りすることにより、この山折りになった剥離シート板（２３）の一部が温灸器（２）の台座（３）から剥がれるように構成したものである。
【００１３】
例えば、前記温灸器（２）の台座（３）は、平面視で六角形状、三角形状又は円形状に形成したものである。
また、前記温灸器（２）の台座（３）の粘着面（４）側に、該台座（３）の周縁から前記通孔（７）に通じる溝を形成することが好ましい。
【発明の効果】
【００１４】
上記構成の発明では、複数の温灸器（２）は、剥離シート（５）にその台座（３）の粘着面（４）で貼り付けられ、かつ枠体（６）内に隙間無く並列配置されているので、この温灸器セット（１）の搬送中に各温灸器（２）がバラバラにならず、筒体（９）（もぐさ（８））が台座（３）から剥がれたりせず、破損することがない。この温灸器セット（１）は、個々の温灸器（２）を使用するために、剥離シート（５）から温灸器（２）を外す際に、枠体（６）を折曲げ切込み線（１０）で山折りすることにより、この山折りになった剥離シート（５）の一部が温灸器（２）の台座（３）から剥がれる。このように温灸器（２）の台座（３）の一部分でも飛び出せば、剥離シート（５）からこれらの温灸器（２）を列ごと容易に外すことができる。
【００１５】
枠体（６）に形成する折曲げ切込み線（１０）の位置を可変することにより、１列の温灸器（２）では無く、２列の温灸器（２）を同時に剥離シート（５）から外すことができる。同時多数の温灸器（２）を使用するときに適している。
【００１６】
または、枠体（６）に代えて裏面に台紙（２２）を貼り合わせた剥離シート板（２３）から成る温灸器セット（２１）では、この剥離シート板（２３）から温灸器（２）を外す際に、剥離シート板（２３）を折曲げ切込み線（２４）で山折りすることにより、この山折りになった剥離シート板（２３）の一部が温灸器（２）の台座（３）から剥がれる。剥離シート板（２３）から温灸器（２）を容易に外すことができる。
【００１７】
温灸器（２）の台座（３）の形状は、平面視で六角形状に限定されず、三角形状又は円形状に形成することができる。温灸器（２）の台座（３）は様々な形状に形成することができ、意匠性を高めることができる。
【発明を実施するための最良の形態】
【００１８】
本発明の温灸器セットは、温灸器の台座の粘着面を、着脱自在に貼り付ける剥離シートと、この剥離シートの周囲に取り付けた、折曲げ切込み線を有する枠体とから成り、複数の温灸器を複数個並列したものである。温灸器を剥離シートから外す際に、枠体を折曲げ切込み線で山折りすることにより、この山折りになった剥離シートの一部が温灸器の台座から剥がれるようになっている。
【実施例１】
【００１９】
以下、本発明の好ましい実施の形態を図面を参照して説明する。
図１は実施例１の温灸器セットを示すものであり、（ａ）は平面図、（ｂ）は正面図、（ｃ）は正断面図である。
実施例１の温灸器セット１は、図１（ａ）、（ｂ）に示すように、温灸器２の台座３の粘着面４を、着脱自在に貼り付ける剥離シート５と、この剥離シート５の周囲に枠体６を取り付け、この枠体６内に複数の温灸器２を並列配置したものである。
【００２０】
温灸器セット１を構成する個々の温灸器２は、図１（ｃ）の断面図に示すように、中央に上下に貫通するように通孔７を開けた台座３と、この通孔７の上面に取り付けた、もぐさ８を入れた筒体９とから成り、この台座３の下面に粘着剤を塗布した粘着面４とを備えたものである。
【００２１】
この温灸器２を用いて灸治療をするときは、台座３の粘着面４を患部の肌に貼り付け、筒体９内のもぐさ８に火を点け、その熱気が台座３の通孔７から肌に伝わり、灸治療をおこなう。このとき、肌の上には台座３を介在しているので燃焼しているもぐさ８は肌に接していないので、熱気による灸効果を得ることができるが、火傷痕が残りづらい灸治療ができる。
【００２２】
また、温灸器２の台座３の粘着面４側に、この台座３の周縁から通孔７に通じる溝（図示していない）を形成することができる。この溝は、もぐさ８の燃焼に際しての空気を供給しやすくする機能を有する。
【００２３】
温灸器セット１を構成する剥離シート５は、温灸器２の台座３粘着面４を貼り付けて固定し得るが、この温灸器２の使用に際しては容易に剥がしやすい素材からなる。例えば、紙又はプラスチック製シートの表面を円滑にし、かつワックス、油脂等を塗布したものである。但し、その素材はこれらに限定されない。
【００２４】
この剥離シート５の周囲に取り付けた枠体６は、複数の温灸器２を剥離シート５に貼り付け、隙間無く並列配置させ得る形状に形成したものである。実施例１の温灸器セット１では、温灸器２の台座３が平面視で六角形状になる。そこで、枠体６の内側の形状は、この複数配置した連続する台座３の外形形状に合わせ、ジグザグ線から成る。枠体６の外側の形状は、温灸器セット１を取り扱いやすいように略四角形状が適している。例えば、梱包に際しては１枚又は数枚に重ねた温灸器セット１をビニール袋等に入れ、包装箱に詰めて販売されることが多いからである。
【００２５】
但し、枠体６の外側の形状は略四角形状に限定されず、個々の温灸器２の台座３の形状と、その配列方法に応じて、例えば六角形状、台形状、菱形形状、平行四辺形状、三角形状、円形状等の様々な形状にすることができる。
【００２６】
また、枠体６の厚みは、温灸器２の台座３の厚みに合せることが好ましい。例えば、厚紙を打ち抜き、一部が温灸器２の台座３となり、一部が枠体６になるように製造することができる。但し、温灸器２を温灸器セット１（枠体６）から外しやすくするには、温灸器２の台座３の厚みに比べて、枠体６の厚みを薄くすることが好ましい。例えば、枠体６から温灸器２の台座３が浮いた状態にすることができる。
【００２７】
複数の温灸器２は、剥離シート５上にその台座３の粘着面４で貼り付け、かつ枠体６内に隙間無く並列配置しているので、本発明の温灸器セット１の搬送中に各温灸器２がバラバラにならず、もぐさ８（筒体９）が台座３から剥がれたりせず、破損することがない。
【００２８】
本発明の枠体６には、折曲げ切込み線１０を形成してある。この折曲げ切込み線１０は文字通り、例えば厚紙から成る枠体６の一部を容易に折り曲げることができる切り込み線である。折曲げ切込み線１０は、図１（ａ）、（ｂ）に示すように、原則として並列配置する温灸器２の台座３の辺が連続する位置に形成することが好ましい。例えば、この枠体６に形成する折曲げ切込み線１０は、最外列で並列する複数の温灸器）の筒体９を結ぶ仮想線ＨＬの延長線上にそれぞれ形成する。
【００２９】
図２は実施例１の温灸器セットの枠体を折り曲げる状態を示す正面図であり、（ａ）は折り曲げる前、（ｂ）は折り曲げた後、（ｃ）は折り曲げた後の一部切り欠いた状態である。図３は実施例１の温灸器セットの枠体を折り曲げる状態を示す側面図であり、（ａ）は折り曲げる前、（ｂ）は折り曲げた後である。
この温灸器セット１は、個々の温灸器２を使用するために、剥離シート５から温灸器２を外す際に、図２（ａ）から図２（ｂ）に示すように、枠体６の一部を折曲げ切込み線１０で山折りにする。このとき、枠体６の折曲げ切込み線１０は、図示するように分離するが、剥離シート５は連続しているので、この山折りになった剥離シート５の一部が温灸器２の台座３から剥がれる。
【００３０】
図２（ｃ）に示すように、温灸器２の台座３の一部分が飛び出し、かつ隣接して側面が密着している台座３同士も分離するので、温灸器２を個別に、又は列ごとに容易に外すことができる。温灸器２が台座３部分で連結していても、連続する台座３部分を折るように分離して、患部に温灸器２に貼り付けることができる。
【００３１】
本発明の温灸器セット１は、温灸器２を隙間無く配列させた構造であるために、温灸器２の台座３の一部分又一列でも飛び出せば、剥離シート５からこれらの温灸器２を列ごと容易に外すことができる。このとき台座３部分に指、爪を当てれば容易に外すことができるので、もぐさ８（筒体９）部分を持つことがなく、これが台座３から分離するという不具合もない。
【００３２】
図４は実施例１の温灸器セットの変形例で折曲げ切込み線の位置をずらしたものであり、（ａ）は平面図、（ｂ）は正面図、（ｃ）は枠体を折り曲げた後の正面図である。
実施例１の温灸器セット１では、折曲げ切込み線１０の形成位置によって、枠体６を折り曲げたときの状態に差異が出る。図１（ａ）、（ｂ）の平面図に示したものは、枠体６を折曲げ切込み線１０で折り曲げたときに、図示の右端の一列の温灸器２の台座３が飛び出す。
【００３３】
この図４の変形例では、折曲げ切込み線１０を最外列から２列目で並列する複数の温灸器２の筒体９を結ぶ仮想線ＨＬの延長線上にそれぞれ形成した。一列中心側にずらうことで、枠体６を折曲げ切込み線１０で折り曲げたときに、折り曲げた位置で２列の温灸器２の台座３を飛び出させることができる。このようにすることで多数の温灸器２を外すことができる。但し、この折曲げ切込み線１０は、必ずしも正確に仮想線ＨＬの延長線上に形成する必要はない。
【００３４】
図５は実施例１の温灸器セットの他の変形例で折曲げ切込み線の位置を枠体の角に形成したものであり、（ａ）は平面図、（ｂ）は正面図である。
実施例１の温灸器セット１では、この山折りになった剥離シート５の一部が温灸器２の台座３から剥がれれば、折曲げ切込み線１０の形成位置は、枠体６の外形線と必ずしも並行に形成する必要はない。例えば、折曲げ切込み線の位置を枠体６の角に形成することができる。即ち、枠体６の外形線に対して傾斜した状態に折曲げ切込み線１０を形成することができる。このように形成すれば、当初は２個の温灸器２の台座３が飛び出る。必要に応じて折曲げ切込み線１０の形成位置をずらすことができる。例えば、この折曲げ切込み線１０の位置を、図示上更に斜め上にずらせば、当初は４個の温灸器２の台座３を飛び出るようになる。
【００３５】
図６は実施例１の温灸器の台座を三角形状に変形させた温灸器セットを示す平面図である。
上述した温灸器２の台座３は、平面視で六角形状に形成したものである。本発明の温灸器２は、通孔７を開けた台座３と、もぐさ８を入れた筒体９と台座３の下面に粘着面４を具備した構成であれば、本発明の温灸器セット１を構成する個々の温灸器２はこの六角形状に限定されない。図６に示すように、平面視で三角形状になる台座３を具備する温灸器２を並列配置した構成にすることができる。
【００３６】
このような変形例でも、枠体６に折曲げ切込み線１０を形成する。図６に示すように、温灸器セット１の右側に折曲げ切込み線１０を形成することにより、この折曲げ切込み線１０で分けられた右側の枠体６を折り曲げることにより、剥離シート５が剥がされた台座３はその尖った部分が並列することとになり、６個の温灸器２をより外しやすくなる。
なお、本発明では温灸器２の台座３が隙間無く並列できる構成であれば、温灸器２の台座３はこのような六角形状、三角形状に限定されず、四角形状にすることも可能である（図示していない）。
【００３７】
図７は実施例１の温灸器の台座を円形状に変形させた温灸器セットを示す平面図である。
図７に示すように、平面視で円形状になる台座３を具備する温灸器２を並列配置した構成にすることができる。このように台座３を円形状にした温灸器２は従来から多数市販されている形状のもので使用に際しても違和感のない形状である。
【実施例２】
【００３８】
図８は枠体に代えて台紙を用いた実施例２の温灸器セットを示すものであり、（ａ）は平面図、（ｂ）は正面図、（ｃ）は１列の温灸器を折り曲げた状態の正面図である。
実施例２の温灸器セット２１は、枠体６に代えて台紙を用いた構成である。本発明は単に複数の温灸器２を並列させた温灸器セット２１から、使用に際して個々の温灸器２を容易に取り出せることのみを目的とするものではなく、保管、搬送に際して、並列させた温灸器２がバラバラに分離して破損しないようにすることも目的としている。上述した実施例１の温灸器セット２１では、枠体６内で温灸器２を並列配置させている。
【００３９】
この実施例２の温灸器セット２１では、並列させた温灸器２がバラバラに分離しないように裏面に台紙２２を貼り合わせた剥離シート板２３に、温灸器２の台座３の粘着面４を着脱自在に貼り付けた構成にした。剥離シート板２３は上面に剥離シートを、その裏面に厚紙のような台紙２２を貼り合わせたものである。図示例では平面視で六角形状になる台座３の温灸器２を隙間無く並列させた状態を示している。実施例２の温灸器セット２１では、例えば剥離シート板２３の台紙２２側に下方から折曲げ切込み線２４を形成する。
【００４０】
このように構成した実施例２の温灸器セット２１では、温灸器２を剥離シート板２３から剥がす際に、剥離シート板２３の折曲げ切込み線２４で山折りし、この山折りになった剥離シート板２３の一部が温灸器２の台座３から剥がれる。飛び出した温灸器２を取り出すことができる。一方、折り曲げた剥離シート板２３側の温灸器２は隣接して密着している温灸器２がなくなり、１個１個独立した状態で剥離シート板２３に貼り付いた状態になるので容易に取り出すことができる。
【００４１】
なお、本発明の温灸器セット１，２１は、複数の温灸器２を並列支持する枠体６又は剥離シート板２３を折曲げ切込み線１０，２４で折り曲げ得る構造にすることで、複数の温灸器２を破損することなく、コンパクトにパッケージすることができると共に、灸治療に際して複数の温灸器２を温灸器セット１，２１から迅速かつ容易に外すことができる構造であれば、上述した発明の実施の形態に限定されず、本発明の要旨を逸脱しない範囲で種々変更できることは勿論である。
【産業上の利用可能性】
【００４２】
本発明の温灸器セットは、主に温灸器のパッケージに利用することができる。
【図面の簡単な説明】
【００４３】
【図１】実施例１の温灸器セットを示すものであり、（ａ）は平面図、（ｂ）は正面図、（ｃ）は正断面図である。
【図２】実施例１の温灸器セットの枠体を折り曲げる状態を示す正面図であり、（ａ）は折り曲げる前、（ｂ）は折り曲げた後、（ｃ）は折り曲げた後の一部切り欠いた状態である。
【図３】実施例１の温灸器セットの枠体を折り曲げる状態を示す側面図であり、（ａ）は折り曲げる前、（ｂ）は折り曲げた後である。
【図４】実施例１の温灸器セットの変形例で折曲げ切込み線の位置をずらしたものであり、（ａ）は平面図、（ｂ）は正面図、（ｃ）は枠体を折り曲げた後の正面図である。
【図５】実施例１の温灸器セットの他の変形例で折曲げ切込み線の位置を枠体の角に形成したものであり、（ａ）は平面図、（ｂ）は正面図である。
【図６】実施例１の温灸器の台座を三角形状に変形させた温灸器セットを示す平面図である。
【図７】実施例１の温灸器の台座を円形状に変形させた温灸器セットを示す平面図である。
【図８】枠体に代えて台紙を用いた実施例２の温灸器セットを示すものであり、（ａ）は平面図、（ｂ）は正面図、（ｃ）は１列の温灸器を折り曲げた状態の正面図である。
【図９】従来の温灸器を示すものであり、（ａ）は上方からの斜視図、（ｂ）は下方からの斜視図、（ｃ）は拡大正断面図である。
【図１０】従来の温灸器セットを示すものであり、（ａ）は斜視図、（ｂ）は正断面図である。
【符号の説明】
【００４４】
１  温灸器セット
２  温灸器
３  台座
４  粘着面
５  剥離シート
６  枠体
７  通孔
８  もぐさ
９  筒体
１０  折曲げ切込み線
２１  温灸器セット
２２  台紙
２３  剥離シート板
２４  折曲げ切込み線
ＨＬ  筒体中心の仮想線
【図１】
2009195347.tif 000003
【図２】
2009195347.tif 000004
【図３】
2009195347.tif 000005
【図４】
2009195347.tif 000006
【図５】
2009195347.tif 000007
【図６】
2009195347.tif 000008
【図７】
2009195347.tif 000009
【図８】
2009195347.tif 000010
【図９】
2009195347.tif 000011
【図１０】
2009195347.tif 000012